(57)【要約】【課題】手摺の支柱を設置した部分に浸み込んだ水が外部に排出できるようにする。【解決手段】設置箇所２には設置孔３および水抜孔４が設けられ、設置孔３が設置箇所２の上面に開口しかつ底部を有する行き止まり形状の凹部を構成し、水抜孔４が設置孔３の底面と設置箇所２の外面とに貫通する貫通孔を構成し、そして、手摺の支柱５における支柱心棒６が設置孔３に上から内部に入れられるとともに充填材７が支柱心棒６と設置孔３との間の隙間に充填され、充填材７が固化することによって、支柱心棒６が支柱設置構造体１に固定されており、経年劣化によって、設置孔３と充填材７との間に隙間８が発生し、水が隙間８に浸み込んだとしても、当該浸み込んだ水は隙間８に残留することなく隙間８から水抜孔４を経由して設置箇所２の外部に排水される。また、設置孔３の底面が水を水抜孔４に誘導する水勾配を構成してもよい。【選択図】図１
2008240240.tif 000002
【特許請求の範囲】
【請求項１】
設置箇所には設置孔が上面に開口しかつ底部を有する行き止まり形状の凹部として設けられ、手摺の支柱における支柱心棒が設置孔に上から内部に入れられ、充填材が支柱心棒と設置孔との間の隙間に充填されて固化することによって、充填材で手摺の支柱が支柱設置構造体に固定される手摺の支柱設置構造体において、設置孔の底部と設置箇所の外面とに貫通する水抜孔が設置箇所に設けられたことを特徴とする手摺の支柱設置構造体。
【請求項２】
設置孔の底面が水を水抜孔に誘導する水勾配を構成したことを特徴とする請求項１記載の手摺の支柱設置構造体。
【発明の詳細な説明】
【技術分野】
【０００１】
本発明は、手摺の支柱を設置した部分に浸み込んだ水が外部に排出できる手摺の支柱設置構造体に関する。
【背景技術】
【０００２】
図８は、特許文献１で開示された手摺の支柱設置構造体１である。図８において、支柱設置構造体１の設置箇所２には、設置孔３が上面に開口しかつ底部を有する行き止まり形状の凹部として設けられる。そして、手摺の支柱２１から突出した支柱心棒２２が設置孔３に入れられ、モルタルや接着剤などの充填材２３が支柱心棒２２と設置孔３との間の隙間に充填されるとともに当該隙間から設置箇所２の上面と支柱台２４との間にまで溢れさせられた状態で固化されたことによって、支柱２１が支柱設置構造体１に固定される。さらに、足元キャップなる支柱カバー２５が支柱２１に被せられて溢れた充填材２３および支柱台２４を覆い隠し、支柱カバー２５に設けられたパッキング２６が設置箇所２の上面に接触させられ、図外の止ねじが支柱カバー２５から支柱２１に締結されたことによって、雨水などの水が設置孔３に侵入しにくいようになっている。しかしながら、経年劣化によって、パッキング２６と設置箇所２の上面との間、充填材２３と設置箇所２の上面との間、充填材２３と設置孔３との間などに隙間２７；２８；２９が発生する。これらの隙間が発生すると、水が隙間２７から隙間２８を経由して隙間２９に浸み込むことがある。そして、設置孔３が上面に開口しかつ底部を有する行き止まり形状の凹部として設けられた構造であるので、水が隙間２９に浸み込んだ場合、当該浸み込んだ水が隙間２９に残留する。この残留した時期が冬季などの場合、残留した水がその場で氷結し、亀裂が設置箇所２や充填材２３に入るという欠点がある。
【特許文献１】特開平７−３３１８３０号公報
【発明の開示】
【発明が解決しようとする課題】
【０００３】
発明が解決しようとする問題点は、充填材やパッキングなどの経年劣化に伴い、水が設置孔と充填材との間の隙間に浸み込むと、当該浸み込んだ水が隙間に残留するという点である。
【課題を解決するための手段】
【０００４】
本発明に係る手摺の支柱設置構造体は、設置箇所には設置孔が上面に開口しかつ底部を有する行き止まり形状の凹部として設けられ、手摺の支柱における支柱心棒が設置孔に上から内部に入れられるとともに充填材が支柱心棒と設置孔との間の隙間に充填され、支柱心棒が支柱設置構造体に固定される手摺の支柱設置構造体において、設置孔の底部と設置箇所の外面とに貫通する水抜孔が設置箇所に設けられたことを最も主要な特徴とする。設置孔の底面が水を水抜孔に誘導する水勾配を構成してもよい。
【発明の効果】
【０００５】
本発明に係る手摺の支柱設置構造体は、充填材の経年劣化に伴い、水が充填材と設置孔との間の隙間に浸み込んだ場合、当該浸み込んだ水は充填材と設置孔との間の隙間に残留することなく水抜孔を経由して設置箇所の外部に排出されるという利点がある。設置孔の底面が水を水抜孔に誘導する水勾配を構成すれば、水が設置孔の底面から水抜孔に適切に導かれるという利点がある。
【発明を実施するための最良の形態】
【０００６】
図１乃至図３は、発明を実施するための最良の形態である。図１は、手摺の支柱設置構造体１を縦方向に切断した断面を示す。図２は、手摺の支柱設置構造体１を縦方向に分解して示す。図３は、摺の支柱設置構造体１に支柱５を設置する工程を示す。
【０００７】
図１を参照し、手摺の支柱設置構造体１について説明する。支柱設置構造体１の設置箇所２には、設置孔３および水抜孔４が設けられる。設置孔３は、設置箇所２の上面に開口しかつ底部を有する行き止まり形状の凹部を構成する。水抜孔４は、設置孔３の底面と設置箇所２の外面とに貫通する貫通孔を構成する。そして、手摺の支柱５における支柱心棒６が設置孔３に上から内部に入れられるとともに充填材７が支柱心棒６と設置孔３との間の隙間に充填され、充填材７が固化することによって、支柱心棒６が支柱設置構造体１に固定される。よって、経年劣化によって、設置孔３と充填材７との間に隙間８が発生し、水が隙間８に浸み込んだとしても、当該浸み込んだ水は隙間８に残留することなく隙間８から水抜孔４を経由して設置箇所２の外部に排水されるという利点がある。そのため、冬季などでも、水が隙間８で氷結することがなく、亀裂が設置箇所２や充填材７に入らないという利点がある。隙間８は、図８の隙間２９に相当する。
【０００８】
図２を参照し、支柱設置構造体１や支柱５の構造について説明する。支柱設置構造体１は、例えば、プレキャストコンクリート板からなるベランダであって、スラブ９の外縁部に設置箇所２と水抜孔４と排水溝１０および水切目地１１を備える。例えば、設置箇所２、水抜孔４、スラブ９、排水溝１０、水切目地１１は、プレキャストコンクリート板の工場生産工程の型にコンクリートを流し込むことによって製作される。設置箇所２の上面１２は、スラブ９の上面１３および排水溝１０の底面１４よりも上方に配置され、外側から排水溝１０の側に水を誘導する水勾配を構成する。水抜孔４は、設置孔３の底面と設置箇所２の外面の１つとしての下面とに貫通する貫通孔を構成する。水切目地１１は、水抜孔４から排出された水を落下しないようにスラブ９の下面に沿って排水溝１０と平行する方向（図２の紙面の表から裏の方または裏から表の方）に誘導する。
【０００９】
最良の形態では、支柱５と支柱心棒６と支柱カバー１５とが互いに別々に構成された形態を例示した。支柱５は、円筒または角筒であって、支柱心棒６に、タッピングねじなどの止ねじ１６で固定される。支柱カバー１５には、ねじ取付部１７が支柱カバー１５の側面から内部に貫通する孔の内面に雌ねじの形成された取付孔として設けられる。ねじ取付部１７には、止ねじ１８が装着される。
【００１０】
図３は、支柱設置構造体１に支柱５が設置される工程について説明する。図３のａ図に示すように、支柱心棒６の下端部が設置孔３に上から内部に入れられ、充填材７が支柱心棒６の下端部と設置孔３との間の隙間に上から充填される。この場合、充填材７の充填に先駆けて、水抜孔４の下部に図外の詰物が入れられた後、充填材７が充填されれば、空気が水抜孔４に残留し、充填材７が水抜孔４を塞がないという利点がある。そして、充填材７が固化されることによって、支柱心棒６が支柱設置構造体１に固定される。充填材７としては、例えば、モルタル、無収縮モルタル、エポキシ樹脂などの何れか１つまたは複数が使用される。充填材７が固化した後、上記詰物は水抜孔４から除去される。支柱設置構造体１の上面と充填材７の上面とにわたり防水処理を施してもよい。
【００１１】
次に、図３のｂ図に示すように、支柱５の下端部が支柱心棒６の設置箇所２よりも上方に突出した上部に上から被覆するように嵌め込まれる。さらに、図３のｃ図に示すように、支柱カバー１５が支柱５に上から被覆するように嵌め込まれる。そして、止ねじ１６が支柱カバー１５よりも上方に露出された支柱５の外側から支柱５および支柱心棒６にねじ切りをしながら装着され、支柱５が支柱心棒６に固定される。また、止ねじ１８が支柱カバー１５の外側から支柱心棒６に向けて締結され、支柱カバー１５が支柱５に固定される。これによって、図１のように、支柱５が支柱設置構造体１に設置される。
【産業上の利用可能性】
【００１２】
図１において、支柱カバー１５は設けなくてもよい。支柱５と支柱心棒６とが互いに結合された単一体として構成されていてもよい。設置箇所２の上面１２と支柱カバー１５との間に、図８のパッキング２６に類似するパッキングを用いてもよい。
【００１３】
図４乃至図７は、発明を実施するための異なる第１乃至第４の形態に係る支柱設置構造体１の縦断面を示す。図４における異なる第１の形態は、水抜孔４が設置孔３の底面と設置箇所２の外面の１つとしての外側に位置する縦面とに貫通する貫通孔を構成する。図５における異なる第２の形態は、水抜孔４が設置孔３の底面と設置箇所２の外面の１つとしての排水溝１０の側に位置する縦面とに貫通する貫通孔を構成する。図６における異なる第３の形態は、設置孔３の底面が隙間８（図１参照）の水を水抜孔４に誘導する水勾配を構成する。図６に示すように、設置孔３の底面１９が水を水抜孔４に誘導する水勾配を構成すれば、水が設置孔３の底面１９から水抜孔４に適切に導かれるという利点がある。図６の設置孔３の底面１９の水勾配は、図４または図５にも適用できる。図７における異なる第４の形態は、設置孔３がドリルで設置箇所２の上面１２の上から設置箇所２の内部に形成された後、水抜孔４がドリルで設置孔３の底面１９から設置箇所２の内部を経由して設置箇所２の下面に貫通するように形成された場合である。よって、図７では、設置孔３の底面１９が設置孔３の周囲から中央に水を誘導する水勾配を構成し、水抜孔４が設置孔３の底面１９の中央から設置箇所２の下面に貫通する。図７では、設置孔３や水抜孔４を形成する場合、支柱設置構造体１の鉄筋を切断しないように設ければ、支柱設置構造体１の強度を確保できる。図７において、水抜孔４は、設置箇所２の下面以外の外側の縦面や排水溝１０に貫通させてもよい。
【図面の簡単な説明】
【００１４】
【図１】支柱設置構造体の縦断面図（最良の形態）。
【図２】支柱設置構造体の分解図（最良の形態）。
【図３】支柱設置構造体に支柱を設置する工程図（最良の形態）。
【図４】支柱設置構造体の設置箇所の縦断面図（異なる第１形態）。
【図５】支柱設置構造体の設置箇所の縦断面図（異なる第２形態）。
【図６】支柱設置構造体の設置箇所の縦断面図（異なる第３形態）。
【図７】支柱設置構造体の設置箇所の縦断面図（異なる第４形態）。
【図８】支柱設置構造体の縦断面図（従来）。
【符号の説明】
【００１５】
１は支柱設置構造体、２は設置箇所、３は設置孔、４は水抜孔、５は支柱、６は支柱心棒、７は充填材、８は隙間、９はスラブ、１０は排水溝、１１は水切目地、１２は設置箇所２の上面、１３はスラブ９の上面、１４は排水溝１０の底面、１５は支柱カバー、１６は止ねじ、１７はねじ取付部、１８は止ねじ、１９は設置孔３の底面、２０は欠番、２１は支柱、２２は支柱心棒、２３は充填材、２４は支柱台、２５は支柱カバー、２６はパッキング、２７乃至２９は隙間。
【図１】
2008240240.tif 000003
【図２】
2008240240.tif 000004
【図３】
2008240240.tif 000005
【図４】
2008240240.tif 000006
【図５】
2008240240.tif 000007
【図６】
2008240240.tif 000008
【図７】
2008240240.tif 000009
【図８】
2008240240.tif 000010